(57)【特許請求の範囲】
【請求項１】
所要輪郭形状で軸状の支持体の外面に所要数の突起棒が突設され、電線等の架設体に巻きつける巻き線に取り付けて用いる鳥害防止体であって、
前記支持体が、所要長の一対の半割軸体から成り、該半割軸体はその軸心に半円状の挟持孔が全長に渡って開口されるとともに、該挟持孔の内面所要位置に位置決め用の小突起が周設されて成り、
前記半割軸体の半割面において、その長手方向中央で前後対称に突起部と、該突起部に嵌着する溝部とが配設されて成る鳥害防止体。
【請求項２】
前記挟持孔の長手方向前後端部に接着剤を塗り着ける溜り溝を周設して成る請求項１記載の鳥害防止体。
【請求項３】
請求項１又は２記載の鳥害防止体が、挟持孔で巻き線を挟持し、前記突起部と溝部との嵌着により固定され、所要長の巻き線に所要ピッチで多数個固着されて成る鳥害防止具。
【発明の詳細な説明】
【技術分野】
【０００１】
本発明は、からすなどの鳥類が送電線や鉄塔、二次鉄構などの水平材、電柱間に張設される電線などの架設体に止まらぬようにこれらに巻き付けて、鳥類の糞尿によるこれらの劣化防止や周辺環境の汚れ防止に資する鳥害防止体と鳥害防止具に関する。
【背景技術】
【０００２】
からすなどの鳥類が送電線や電柱間に張設される電線などの架設体に止まらぬようにこれらに被着され、突起等の突出物によって鳥害防止を図る技術は、特開平７−３９２９１号公報（特許文献１）、特開平９−２４８１１８号公報（特許文献２）、特開２０００−１１６３０４号公報（特許文献３）、特開２００１−３１４１４７号公報（特許文献４）、特開２００３−２１９７８５号公報（特許文献５）、特開２００７−９７４５６号公報（特許文献６）等が提案されているが、何れも突出物と該突出物を支持する支持体（保護管、管状体、被覆管、帯状のベルト部、取付環状部等）を直接電線等の架設体に被覆するものであるため、該架設体への被着に多くの手間を要するものである。
【先行技術文献】
【特許文献】
【０００３】
【特許文献１】特開平７−３９２９１号公報
【特許文献２】特開平９−２４８１１８号公報
【特許文献３】特開２０００−１１６３０４号公報
【特許文献４】特開２００１−３１４１４７号公報
【特許文献５】特開２００３−２１９７８５号公報
【特許文献６】特開２００７−９７４５６号公報
【発明の概要】
【発明が解決しようとする課題】
【０００４】
本発明は、からすなどの鳥類の足場を失わせる突起棒を設けた支持体を巻き線に取り付け、該巻き線を電線等の架設体に巻き付けて、現場での取り付け工事の省力化と、量産化と工場生産による生産コストの削減に寄与できる鳥害防止体と鳥害防止具の提供をその目的とする。
【課題を解決するための手段】
【０００５】
本発明の請求項１に記載した鳥害防止体は、所要輪郭形状で軸状の支持体の外面に所要数の突起棒が突設されるとともに、電線等の架設体への被着部が配設されて成る鳥害防止体において、
前記支持体が、所要長の一対の半割軸体から成り、該半割軸体はその軸心に半円状の挟持孔が全長に渡って開口されるとともに、該挟持孔の内面所要位置に位置決め用の小突起が周設されて成り、
前記被着部が、前記半割軸体の半割面において、その長手方向中央で前後対称に突起部と、該突起部に嵌着する溝部とが配設されて成る。
請求項２に記載した発明は、請求項１に記載した鳥害防止体において、
前記挟持孔の長手方向前後端部に接着剤を塗り着ける溜り溝を周設して成る。
請求項３に記載した鳥害防止具は、
前記鳥害防止体が、挟持孔で巻き線に挟持され、前記突起部と溝部との嵌着により固定され、所要長の巻き線に所要ピッチで多数個固着されて成る。
【発明の効果】
【０００６】
本発明の請求項１に記載した鳥害防止体は、支持体が同一半割軸体の一対の組合わせで形成されるため、量産が可能となって低コストで生産でき、しかも、請求項３に記載した鳥害防止具は、工場生産で巻き線に対して一対の半割軸体による鳥害防止体を接合できるから、生産コストも削減され、しかも、現場での電線等の架設体への取り付け作業は、巻き線を巻き付けるだけの極めて簡易な作業であり、架設体に取り付けられた鳥害防止具の突起棒は、からすなどの鳥類の足場を与えず、無理矢理止まろうとしても巻き線の可撓性によって突起棒が揺動して足場が奪われ、架設体への鳥類の糞尿による劣化防止や周辺環境の汚れ防止に貢献できる上、架設体への降雪落下も促進されるなどの効果がある。
【図面の簡単な説明】
【０００７】
【図１】本発明に係る鳥害防止体１を構成する半割軸体２aの要部の斜視図。
【図２】本発明に係る鳥害防止具１４の巻き線１１を縦断した説明用正面図。
【図３】本発明に係る他の実施態様における鳥害防止具１４の巻き線１１を縦断した説明用正面図。
【図４】本発明の鳥害防止具１４の巻き線１１を架設体１７に巻き付けた使用状態の部分説明図。
【発明を実施するための形態】
【０００８】
半割軸体が一対組み合わされた支持体は、その輪郭が正八面体であり、その二面幅は8mm、長さは15mm、挟持孔の直径は2mmであり、前記二面幅の中央にそれぞれ十字状に配設される突起棒の長さは56mmである。そして、挟持孔の内面に周設される位置決め用の小突起は、軸心方向に設けられるものから、該軸心に直交する周面に設けられるものなどである。
なお、半割軸体の半割面において、長手方向中央で前後対称に設けられる突起部と該突起部に嵌着される溝部とは挟持孔の軸心を挟んで同一のものから、相互に突起部と該突起部に嵌着される溝部とから成るものでも提供される。
【実施例】
【０００９】
本発明の鳥害防止体１を実施例により説明すると、図１に示すように、鳥害防止体１を構成する支持体２は、輪郭形状が正八面体の対向二面幅の中心から長手方向に向けて半割りした一対の同一半割軸体２aから成るもので、その軸心に半円状の挟持孔３が全長に渡って開口されるとともに、その前後端には接着剤を塗り着けるための溜り溝４が周設され、内面には軸心に沿って所要長の位置決め用の小突起５が周設され、巻き線１１に被着される被着部６としての半割面６aには軸心を挟んで長手方向中央から前方で右方には突起部７が立設され、左方には該突起部７に嵌着する溝部８が凹設され、長手方向中央から後方で前後対称に軸心を挟んで左方には突起部７が立設され、右方には該突起部７に嵌着する溝部８が凹設され、外面を形成する両斜面９にはその長手方向中央部で90°の開き角度で突起棒１０が一体に配設されて成る。
【００１０】
このようにして成る半割軸体２aは射出成形により量産され、一方の半割軸体２aの挟持孔３に可撓性の巻き線１１が押し込まれ、他方の半割軸体２aの前後を反転して被せると左右の各突起部７がそれぞれ左右の溝部８に嵌着し、小突起５が巻き線１１の軸心方向の上下の周面に食い込み、かつ、各突起部７の外面に長手方向に沿って配設した膨出部１２が、溝部８の外方側の内面に凹設した凹溝１３に弾性変形を伴って嵌着し、一層強固に巻き線１１に挟持され、その上、前後端の溜り溝４に接着剤を塗り着けることによって軸心方向へのずれ防止がより強固に図られ、順次に図２に示すように、巻き線１１に対して所要のピッチ（120mm）で一対の半割軸体２a、２aから成る支持体２が多数個設けられて鳥害防止具１４が生産されるものである。
【００１１】
このほか、半割軸体２aの他の実施態様としては、図３に示すように、半割軸体２aの長手方向中央より前方には両側面に切欠き部１５を設け、後方には該切欠き部１５に嵌着する一対の突出壁１６を立設して成り、挟持孔３の内面には前記した小突起５が軸心方向に沿って所要長設けられ、その前後端には前記と同様の溜り溝４が設けられ、外面を形成する両斜面９にはその長手方向中央部で90°の開き角度で突起棒１０が一体に配設され、前記と同様に射出成形により量産されるものである。
そして、一方の半割軸体２aの半円状の挟持孔３に巻き線１１が押し込まれ、他方の半割軸体２aの前後を反転して被せ、両側面の切欠き部１５に一対の突出壁１６を嵌着すべく押圧すると、各小突起５が巻き線１１の軸心方向の上下の周面に食い込み、かつ、切欠き部１５の縦縁の要所全長に渡って凹設された各凹溝１３に各突出壁１６の内面の要所全長に渡って配設した膨出部１２が嵌着されて一層強固に巻き線１１に挟持され、その上、前後端の溜り溝４に接着剤を塗り着けることによって軸心方向へのずれ防止（位置決め）がより強固に図られるものである。
このようにして成る鳥害防止具１４が図４に示すように、電線等の架設体１７に対して巻き線１１によって巻き付けられて使用されるものである。
その結果、架設体１７からはからすなどの鳥類の足場が奪われ、架設体への鳥類の糞尿付着が解消されて劣化防止が図られるとともに、周辺環境の汚染防止も図られ、さらには、降雪期による架設体への着雪も、鳥害防止具１４の鳥害防止体１の揺動によって振り払われ、雪荷重の負担も軽減されるものである。
【産業上の利用可能性】
【００１２】
本発明は、電線等の架設体に巻き付けられて使用され、支持体に放射状に配設された突起棒によってからすなどの鳥類の足場を奪い、糞尿などによる架設体の劣化防止や周辺環境の汚染防止が図られる上、可撓性の巻き線を介して支持体が揺動し易いものであるため、架設体への着雪も軽減されるものであるから、電力業界及び配線工事業界にとって極めて有益な技術である。
【符号の説明】
【００１３】
１：鳥害防止体
２：支持体
２a：半割軸体
３：挟持孔
４：溜り溝
５：小突起
６：被着部
６a：半割面
７：突起部
８：溝部
９：斜面
１０：突起棒
１１：巻き線
１２：膨出部
１３：凹溝
１４：鳥害防止具
１５：切欠き部
１６：突出壁
１７：架設体
【図１】
0005335750.tif 000002
【図２】
0005335750.tif 000003
【図３】
0005335750.tif 000004
【図４】
0005335750.tif 000005